(57)【要約】【課題】分割した各領域内にて比率をリニアに可変できるようにすることにより、滑らかな画像に変換することができる。【解決手段】出力画素配置間隔算出部１１Ｂは、隣接する出力画素の画素位置からの間隔を次第に大きくまたは小さくまたは一定に調節した出力画素の配置間隔情報Ｍとして算出する。出力画素配置位置情報設定部１１Ｃが出力画素の配置間隔情報Ｍに基づき、入力画素の画素位置に対する出力画素の画素位置の間隔を出力画素の配置位置情報Ｚとして設定し、基準入力画素位置更新制御部１１Ｄは基準入力画素位置の更新を制御する。このような処理を分割画像領域ごとに順次に処理することにより、各分割画像領域内で比率をリニアに可変でき、入力画像のアスペクト比を調整しつつも滑らかな画像に変換できる。【選択図】        図１
2004328493.tif 000002
【特許請求の範囲】
【請求項１】
第１のアスペクト比の入力画像を入力し、第２のアスペクト比の表示を行うために変換した画像を補間処理部を介して出力する画像変換処理ユニットにおいて、
入力画像の解像度及び出力画像の解像度、分割画像領域数、比率を含むストレッチ情報を受け取って、前記両画像の領域を前記分割画像領域数に応じた画像領域に分割して、各分割画像領域の解像度及び比率を含む分割画像領域情報を出力するとともに、処理対象として各分割画像領域を順次に指定する分割画像領域指定部と、
出力画像について、隣接する出力画素の画素位置からの間隔を、前記分割画像領域情報の比率に応じて次第に大きくまたは小さくまたは一定に調節した出力画素の配置間隔情報として算出する出力画素配置間隔算出部と、
前記出力画素の配置間隔情報に基づいて、入力画素の画素位置に対する出力画素の画素位置の間隔を、出力画素の配置位置情報として設定するとともに前記補間処理部に出力する出力画素配置位置情報設定部と、
前記出力画素の配置間隔情報と前記出力画素の配置位置情報とに基づいて、前記補間処理部が画素値を決定するために参照する基準入力画素位置の更新を制御する基準入力画素位置更新制御部とを備え、
前記分割画像領域指定部によって指定される各分割画像領域について順次に処理を行うことを特徴とする画像変換処理ユニット。
【請求項２】
請求項１に記載の画像変換処理ユニットにおいて、
前記ストレッチ情報の分割画像領域数が４であり、各分割画像領域における比率が出力画像の外側に向かってリニアに減少する値であることを特徴とする画像変換処理ユニット。
【請求項３】
請求項１または２に記載の画像変換処理ユニットにおいて、
前記ストレッチ情報のうち比率が開始比率と中間比率であることを特徴とする画像変換処理ユニット。
【請求項４】
請求項１ないし３のいずれかに記載の画像変換処理ユニットを備えたことを特徴とする画像表示装置。
【発明の詳細な説明】
【０００１】
【発明の属する技術分野】
この発明は、入力画像に対して補間処理部により補間処理を施し、入力画像とは異なる解像度の出力画像を生成する画像変換処理ユニット及びこれを用いた画像表示装置に係り、特に、入力画像とは異なるアスペクト比の画像を出力する技術に関する。
【０００２】
【従来の技術】
従来、この種の装置として、入力画像データを記憶するフレームメモリと、複数の比率に対応したフィルタ係数を予め記憶した係数記憶部と、設定領域幅と複数個の各領域に設定された比率に基づいて、フレームメモリから対応した画像データを読み出すイネーブル信号を出力するとともに、係数記憶部から対応したフィルタ係数を読み出す係数選択アドレスを出力するノンリニア比率制御部と、係数記憶部からのフィルタ係数に基づいてフレームメモリからの画像データをフィルタリングし、水平方向に非線形拡大処理された画像データを出力するフィルタとを備えたものが挙げられる（例えば、特許文献１参照）。
【０００３】
上記装置では、例えば、４：３のアスペクト比を有する入力画像を、１６：９のアスペクト比を有する出力画像として表示させる際に、複数個の各領域に設定された比率に基づきフィルタ係数を読み出し、このフィルタ係数に基づいてフィルタリングして非線形拡大処理された画像データを出力する。したがって、例えば、パノラマ写真や魚眼レンズを通したような映像を拡大して表示することができる。
【０００４】
【特許文献１】
特開２０００−１４８１２８号公報（図１、図４〜図６）
【０００５】
【発明が解決しようとする課題】
しかしながら、このような構成を有する従来例の場合には、次のような問題がある。
すなわち、従来の装置は、各領域内において比率が一定であるので、全体では階段状のスケーリングとなる。したがって、各領域の境界において急激な変化が生じるので、画像にギザギザが目立ち、滑らかさに欠ける表示となるという問題がある。
【０００６】
なお、従来の装置において各領域幅を狭くしてゆくことも考えられるが、領域ごとにフィルタ係数を設定してフィルタリングを行う関係上、係数記憶部にフィルタ係数を非常に多く格納する必要があること、また多くの設定領域を設けるとともに、これに応じて比率データを格納しておく必要があること等の理由から、処理が非常に複雑化するので現実的ではない。
【０００７】
この発明は、このような事情に鑑みてなされたものであって、分割した各領域内にて比率をリニアに可変できるようにすることにより、滑らかな画像に変換することができる画像変換処理ユニット及びこれを用いた画像表示装置を提供することを目的とする。
【０００８】
【課題を解決するための手段】
この発明は、このような目的を達成するために、次のような構成をとる。
すなわち、請求項１に記載の発明は、第１のアスペクト比の入力画像を入力し、第２のアスペクト比の表示を行うために変換した画像を補間処理部を介して出力する画像変換処理ユニットにおいて、入力画像の解像度及び出力画像の解像度、分割画像領域数、比率を含むストレッチ情報を受け取って、前記両画像の領域を前記分割画像領域数に応じた画像領域に分割して、各分割画像領域の解像度及び比率を含む分割画像領域情報を出力するとともに、処理対象として各分割画像領域を順次に指定する分割画像領域指定部と、出力画像について、隣接する出力画素の画素位置からの間隔を、前記分割画像領域情報の比率に応じて次第に大きくまたは小さくまたは一定に調節した出力画素の配置間隔情報として算出する出力画素配置間隔算出部と、前記出力画素の配置間隔情報に基づいて、入力画素の画素位置に対する出力画素の画素位置の間隔を、出力画素の配置位置情報として設定するとともに前記補間処理部に出力する出力画素配置位置情報設定部と、前記出力画素の配置間隔情報と前記出力画素の配置位置情報とに基づいて、前記補間処理部が画素値を決定するために参照する基準入力画素位置の更新を制御する基準入力画素位置更新制御部とを備え、前記分割画像領域指定部によって指定される各分割画像領域について順次に処理を行うことを特徴とするものである。
【０００９】
（作用・効果）分割画像領域指定部は、ストレッチ情報に基づいて入力画像及び出力画像の領域を分割し、分割画像領域情報を出力するとともに、処理対象として各分割画像領域を順次に指定してゆく。その指定に応じて、出力画素配置間隔算出部は、出力画像について、隣接する出力画素の画素位置からの間隔を、分割画像領域情報の比率に応じて次第に大きくまたは小さく調節した出力画素の配置間隔情報として算出する。さらに、出力画素配置位置情報設定部は、出力画素の配置間隔情報に基づき、入力画素の画素位置に対する出力画素の画素位置の間隔を出力画素の配置位置情報として設定する。基準入力画素位置更新制御部は、出力画素の配置間隔情報と出力画素の配置位置情報とに基づいて、補間処理部が出力画素の画素値を決定するために参照する基準入力画素位置の更新を制御する。このような処理を分割画像領域ごとに順次に処理することにより、各分割画像領域内で比率（拡大率ともいう）をリニアに可変することができる。したがって、入力画像のアスペクト比を調整しつつも滑らかな画像に変換することができる。
【００１０】
また、前記ストレッチ情報の分割画像領域数が４であり、各分割画像領域における比率が出力画像の外側に向かってリニアに減少する値であることが好ましい（請求項２）。
【００１１】
また、前記ストレッチ情報のうち比率が開始比率と中間比率であることが好ましい（請求項３）。
【００１２】
（作用・効果）開始比率と中間比率が分かれば、終了比率が分からなくても演算によって求めることができる。したがって、ストレッチ情報の情報量を少なくしつつも同様の処理を行うことができる。
【００１３】
また、請求項４に記載の発明によれば、請求項１ないし３のいずれかに記載の画像変換ユニットを備えた画像表示装置であることを特徴とするものである。
【００１４】
（作用・効果）画像表示装置は、画像変換ユニットにより得られる、複数個の領域内においてリニアに比率が調整された出力画像に基づいて画像を表示することができる。
【００１５】
【発明の実施の形態】
以下、図面を参照してこの発明の一実施例を説明する。
図１は、この発明の一実施例に係る画像変換処理ユニットを備えた画像表示装置の概略構成を示すブロック図である。なお、以下の説明において、ＰＤＰとはプラズマディスプレイパネルをいう。
【００１６】
本実施例に係る画像表示装置は、信号処理部１と、マイクロコンピュータ３と、画像変換処理ユニット５と、ＰＤＰ駆動部７と、ＰＤＰ９とを備えている。
【００１７】
信号処理部１は、図示しないパーソナルコンピュータ（以下、パソコンと略す）等から第１のアスペクト比（例えば、４：３）の入力画像に関する入力信号ａ１を与えられる。また、それを画像変換処理ユニット５に対してビデオ信号ａ２として出力し、さらにマイクロコンピュータ３（以下、マイコンと略す）に対して同期信号ａ３を出力する。
【００１８】
マイコン３は、オンスクリーンディスプレイ（ＯＳＤ）等によってマイコン設定ａ４を与えられる。ＯＳＤは、この画像表示装置について表示等に係る設定を行うためにＰＤＰ９上にメニュー等を表示させ、その状態でユーザが種々の設定を可能なものである。また、このマイコン３は、パラメータ設定部３Ａを内蔵している。パラメータ設定部３Ａは、少なくとも入力画像の解像度及び出力画像の解像度、分割画像領域数、比率を含むストレッチ情報ａ５を記憶している。これらのうち幾つかは、ＯＳＤによってユーザ自身が設定することが可能となっている。
【００１９】
本実施例におけるストレッチ情報ａ５は、入力画像の画像領域の分割数をｎとした場合、入力画像の解像度（入力解像度）Ｈｎｉ、出力画像の解像度（出力解像度）Ｈｎｏ、入力画像と出力画像の比率（拡大率ともいう）のうち分割画像領域における最初の比率に相当する開始比率Ｍｎｓ、中間の比率にあたる中間比率Ｍｎｉ、係数Ａを含む。開始比率Ｍｎｓと中間比率Ｍｎｉが分かれば、終了比率Ｍｎｅが分からなくても演算によって求めることができるからである。したがって、ストレッチ情報の情報量を少なくしつつも同様の処理を行うことができる。但し、終了比率Ｍｎｅをさらに含めたり、中間比率に代えて終了比率Ｍｎｅを含めたりしてもよい。
【００２０】
画像変換処理ユニット５は、画素配置位置情報算出部１１と、補間処理部１３とを備えている。画素配置位置情報算出部１１は、マイクロコンピュータ３からストレッチ情報ａ５を受け取り、出力画素の配置位置情報Ｚを含む、補間処理部１３が画素値を決定するために参照する情報などを出力する。
【００２１】
画素配置位置情報算出部１１は、分割画像領域指定部１１Ａと、出力画素配置間隔算出部１１Ｂと、出力画素配置位置情報設定部１１Ｃと、基準入力画素位置更新制御部１１Ｄとを備えている。
【００２２】
分割画像領域指定部１１Ａは、ストレッチ情報ａ５を受け取り、入力画像と出力画像の領域を分割画像領域数ｎに応じた画像領域に分割する。そして、各分割画像領域の解像度及び比率を含む分割画像領域情報ｂ１を出力画素配置間隔算出部１１Ｂに与える。また、処理対象として各分割画像領域を順次に指定してゆく。この分割画像領域情報ｂ１は、上述したストレッチ情報ａ５のうち、対応する分割画像領域についての情報である。
【００２３】
出力画素配置間隔算出部１１Ｂは、順次に処理を行うにあたり、分割画像領域指定部１１Ａに対して次の分割画像領域情報を要求する。また、出力画像について、隣接する出力画素の画素位置からの間隔を、分割画像領域情報ｂ１に含まれている比率に応じて次第に大きくまたは小さく調節した出力画素の配置間隔情報Ｍとして算出する。
【００２４】
出力画素配置位置情報設定部１１Ｃは、出力画素の配置間隔情報Ｍに基づいて、入力画素の画素位置に対する出力画素の画素位置の間隔を、出力画素の配置位置情報Ｚとして設定するとともに、この出力画素の配置位置情報Ｚを補間処理部１３に対して出力する。
【００２５】
基準入力画素位置更新制御部１１Ｄは、出力画素の配置間隔情報Ｍと、出力画素の配置位置情報Ｚとに基づいて、補間処理部１３が画素値を決定するために参照する基準入力画素位置の更新を制御する。具体的には、基準入力画素の位置を更新する場合に、基準入力画素位置更新制御情報ｂ２を補間処理部１３に対して出力する。
【００２６】
補間処理部１３は、画素配置位置決定部１３Ａと、画素値決定部１３Ｂとを備えている。画素配置位置決定部１３Ａは、出力画素の配置位置情報Ｚと、基準入力画素位置更新制御情報ｂ２と、ビデオ信号ａ２とに基づいて出力画素の配置位置を決定する。画素値決定部１３Ｂは、決定された出力画素の配置位置における画素値を決定する。このときの画素値を決める手法としては、直線補間や補間曲線に基づくもの等の種々の手法が例示される。好ましくは、特許３２７２３０９号のように、直線補間であって、出力画素の配置位置と入力画素の画素値の差分に応じて標準的な直線補間と、標準的な直線補間を部分的に平行移動させた補間とを切り換える。これにより、適切な補間処理が可能である。
【００２７】
ＰＤＰ駆動部７は、画像変換処理ユニット５から受け取った信号に基づいてＰＤＰ９を駆動する。これにより、第１のアスペクト比（例えば、４：３）の入力画像が第２のアスペクト比（例えば、１６：９）の出力画像としてＰＤＰ９に表示されるようになっている。
【００２８】
次に、図２を参照する。なお、図２は、入力画像の入力画素と出力画像の出力画素等との関係について示した模式図であり、（ａ）は入力画像を示し、（ｂ）は出力画像を示し、（ｃ）は比率を示す。
【００２９】
ここでは、図２（ａ）に示すように、分割画像領域数ｎ＝１〜４（但し、整数）とし、画像の両端側に位置する分割画像領域１と分割画像領域４を同じ大きさとし、分割画像領域の中央側に位置する分割画像領域２と分割画像領域３を同じ大きさとする。つまり、入力画像のうち分割画像領域１の解像度をＨ１ｉ、分割画像領域２の解像度をＨ２ｉ、分割画像領域３の解像度をＨ３ｉ、分割画像領域４の解像度をＨ４ｉとした場合、Ｈ１ｉ＝Ｈ４ｉ、Ｈ２ｉ＝Ｈ３ｉとなる。
【００３０】
また、図２（ｂ）に示すように、出力画像についても同様で、出力画像のうち分割画像領域１の解像度をＨ１ｏ、分割画像領域２の解像度をＨ２ｏ、分割画像領域３の解像度をＨ３ｏ、分割画像領域４の解像度をＨ４ｏとした場合、Ｈ１ｏ＝Ｈ４ｏ、Ｈ２ｏ＝Ｈ３ｏとなる。
【００３１】
また、比率については、例えば、図２（ｃ）に示すように設定されているものとする。
すなわち、分割画像領域１については開始比率Ｍ１ｓから中間比率Ｍ１ｉ（または終了比率Ｍ１ｅ）まで直線的に大きくなってゆく。以下、分割画像領域２については開始比率Ｍ２ｓから中間比率Ｍ２ｉ（または終了比率Ｍ２ｅ）まで直線的に大きくなってゆき、分割画像領域３については分割画像領域２とは逆に開始比率Ｍ３ｓから中間比率Ｍ３ｉ（または終了比率Ｍ３ｅ）まで直線的に小さくなってゆき、分割画像領域４については開始比率Ｍ４ｓから中間比率Ｍ４ｉ（または終了比率Ｍ４ｅ）まで直線的に小さくなってゆく。換言すると、各分割画像領域における比率が出力画像の外側に向かってリニアに減少する値となっている。
【００３２】
ここで、入力画素と出力画素の関係について図３を参照して説明する。なお、図３は、入力画素と出力画素の配置関係を示した模式図である。
【００３３】
この例では、入力画素数を１０とし、出力画素数を１６とし、入力画素間をＮ＝１６等分している。また、開始比率Ｍｎｓ＝８及び中間比率Ｍｎｉ＝１０とした場合を示しているが、入力画素の間隔が一定であるのに対して、出力画素はその間隔（出力画素の配置間隔情報）Ｍが直線的に８から１２に次第に大きくなっている。
【００３４】
なお、この例では、分割画像領域１における中間比率Ｍ１ｉ（＝分割画像領域４における中間比率Ｍ４ｉ）はＡ×Ｈ１ｉ／Ｈ１ｏ、終了比率Ｍ１ｅは２×（Ｍ１ｉ−Ｍ１ｓ）で表すことができる。分割画像領域２における中間比率Ｍ２ｉ（＝分割画像領域３における中間比率Ｍ３ｉ）はＡ×Ｈ２ｉ／（Ｈｏ／２−Ｈ１ｏ）で表すことができる。
【００３５】
次に、図４を参照する。なお、図４は、処理の要部についてその流れを示したフローチャートである。ここでは、Ｑ＝Ｈｎｏとし、係数Ａ＝１６とし、処理の都合上、変数Ｋｅｙ、ｄＰ、Ｒｅｓｔを使用している。また、この処理は、分割画像領域指定部１１Ａから分割画像領域情報ｂ１として１〜４（整数）を出力画素配置間隔算出部１１Ｂが順次に受け取ってからの処理を表している。
【００３６】
ステップＳ１
現在の開始比率Ｍｎｓを出力画素の配置間隔情報Ｍとして設定する。また、変数Ｋｅｙに変数Ｑ（＝出力画像の解像度Ｈｎｏ）を設定し、変数Ｒｅｓｔに出力画像の解像度Ｈｎｏ−１を設定する。さらに、変数ｄＰに（Ｍｎｉ−Ｍｎｓ）×２を設定する。つまり、変数ｄＰは、その分割画像領域における終了比率Ｍｎｅを表している。変数Ｒｅｓｔは、後述するステップから明らかなように、指定された分割画像領域の終端であるか否かを判断する処理用のカウンタとして使用するためのものである。
【００３７】
ステップＳ２
配置間隔情報Ｍを変更するか否かを判断する。具体的には、（Ｋｅｙ−Ｑ）とｄＰの比較によって判断する。
【００３８】
ステップＳ３
上記判断の結果、配置間隔情報Ｍを変更しないとなった場合には、変数Ｋｅｙ＝Ｋｅｙ＋ｄＰとする。
【００３９】
ステップＳ４
変数Ｒｅｓｔ＝Ｒｅｓｔ−１とする。
【００４０】
ステップＳ５
この時点における出力画素の配置間隔情報Ｍを出力する。
【００４１】
ステップＳ６
変数Ｒｅｓｔが０であるか否かに応じて処理を分岐する。つまり、変数Ｒｅｓｔ＝０の場合には分割画像領域の終端であるので、この領域における処理を終了し、次の分割画像領域に処理を移行する。一方、変数Ｒｅｓｔが０でない場合には、ステップＳ２に戻って同分割画像領域内における次の画素について処理を行う。
【００４２】
なお、上記ステップＳ２における判断の結果、出力画素の配置間隔情報Ｍを変更するとなった場合には、ステップＳ２からステップＳ７に処理を移行する。
【００４３】
ステップＳ７
ここでは、出力画素の配置間隔情報Ｍを１だけインクリメントし、変数ｄＰをデクリメントする。さらに、変数Ｋｅｙ＝Ｋｅｙ＋ｄＰ−Ｒｅｓｔとする。そして、ステップＳ４に処理を移行する。この処理では、出力画素の配置間隔情報Ｍをインクリメントするとともに、高さ方向のカウンタとして機能する変数ｄＰをデクリメントする。なお、傾きを判断して、負の傾きの場合には（Ｍｎｓ＞Ｍｎｉ）、出力画素の配置間隔情報Ｍをデクリメントする。
【００４４】
上記の処理により、出力画素配置間隔算出部１１Ｂからは順次に出力画素の配置間隔情報Ｍが出力され、出力画素配置位置情報設定部１１Ｃと基準入力画素位置更新制御部１１Ｄに与えられる。なお、順次に求められる出力画素の配置間隔情報Ｍは、直線的に大きく（または小さく）なっている。また、これを一定としてもよい。
【００４５】
出力画素配置位置情報設定部１１Ｃは、順次に与えられる出力画素の配置間隔情報Ｍに応じて、出力画素配置間隔情報Ｚを求めて出力する。また、基準入力画素位置更新制御部１１Ｄは、出力画素配置間隔情報Ｚと出力画素の配置間隔情報Ｍとに基づいて、参照する基準入力画素位置の更新を制御するための基準入力画素位置更新制御情報ｂ２を出力する。
【００４６】
ここで、出力画素配置間隔情報Ｚについて具体例を示す。
例えば、入力画素Ｇ１〜Ｇ１０に対して、図３に示すように、上記の処理により出力画素の配置間隔情報Ｍが順次決められたとする。出力画素配置位置情報設定部１１Ｃは出力画素Ｈ１が入力画素Ｇ１と同じ位置であることから、その配置間隔情報Ｚ＝０とする。また、出力画素Ｈ２については入力画素Ｇ１から入力画素Ｇ２側に出力画素Ｈ２の配置間隔情報Ｍ＝８だけシフトした位置にあるので、その配置間隔情報ＺをＺ＝８とし、出力画素Ｈ３については入力画素Ｇ２と同じ位置であることから、その配置間隔情報Ｚ＝０とする。さらに、出力画素Ｈ４については入力画素Ｇ２から入力画素Ｇ３側に出力画素Ｈ４の配置間隔情報Ｍ＝８だけシフトした位置であるので、その配置間隔情報ＺをＺ＝８とする。このような手順で順次に出力画素の配置間隔情報Ｚを求めてゆく。
【００４７】
次に、基準入力画素位置更新制御情報ｂ２について具体例を示す。
例えば、入力画素Ｇ１〜Ｇ１０に対して、図３に示すように出力画素Ｈ１〜Ｈ１６がそれぞれ出力画素配置位置Ｚで配置位置が決定されているとする。すると、出力画素Ｈ１は１番目の入力画素Ｇ１の画素値を基準として参照することで画素値が決められる。また、出力画素Ｈ２は１番目の入力画素Ｇ１を基準とし、さらに２番目の入力画素Ｇ２の画素値を参照することで画素値が決められ、出力画素Ｈ３は２番目の入力画素Ｇ２の画素値を基準として参照することで画素値が決められる。さらに、出力画素Ｈ４は２番目の入力画素Ｇ２を基準とし、３番目の入力画素Ｇ３の画素値を参照することで画素値が決められる。このとき、基準として参照する入力画素が変わった場合に基準入力画素位置更新制御情報ｂ２を出力する。つまり、上記の例では、出力画素Ｈ３のときに基準が入力画素Ｇ１から入力画素Ｇ２に切り替わるので、基準入力画素位置更新制御情報ｂ２が出力される。このようにして、順次に基準入力画素位置更新制御情報ｂ２について求めてゆく。
【００４８】
なお、上記の処理によって求められた、４つの分割画像領域ごとに出力画素の配置間隔情報Ｍと、配置位置情報Ｚと、基準入力画素位置更新制御情報ｂ２等を一覧表にした例を図５〜図８の表に示す。
【００４９】
画素配置位置決定部１３Ａは、上述したような配置位置情報Ｚ及び基準入力画素位置更新制御情報ｂ２を与えられ、これらに基づいて実際の出力画素の画素配置位置について決めてゆく。そして、画素値決定部１３Ｂがその画素配置位置に応じて画素値を決定し、ＰＤＰ駆動部７に対して第２のアスペクト比（例えば、１６：９）の画像を出力する。
【００５０】
上述したように、分割画像領域指定部１１Ａがストレッチ情報ａ５に基づいて入力画像及び出力画像の領域を分割し、分割画像領域情報ｂ１を出力し、処理対象として各分割画像領域１〜４を順次に指定してゆく。出力画素配置間隔算出部１１Ｂは、その指定に応じ、隣接する出力画素の画素位置からの間隔を、分割画像領域情報ｂ１の比率に応じて次第に大きくまたは小さくまたは一定に調節した出力画素の配置間隔情報Ｍとして算出する。さらに、出力画素配置位置情報設定部１１Ｃが出力画素の配置間隔情報Ｍに基づき、入力画素の画素位置に対する出力画素の画素位置の間隔を出力画素の配置位置情報Ｚとして設定する。基準入力画素位置更新制御部１１Ｄは、出力画素の配置間隔情報Ｍと出力画素の配置位置情報Ｚとに基づき、補間処理部１３が出力画素の画素値を決定するために参照する基準入力画素位置の更新を制御する。このような処理を分割画像領域１〜４ごとに順次に処理することにより、各分割画像領域１〜４内で比率をリニアに可変でき、入力画像のアスペクト比を調整しつつも滑らかな画像に変換できる。
【００５１】
なお、本発明は、上述した実施例に限定されるものではなく、以下のように変形実施が可能である。
【００５２】
（１）上述した図４のフローによって出力画素の配置間隔情報Ｍを求めるのに代えて、以下に説明するように演算で行うようにしてもよい。ここで図９を参照する。なお、図９の配置間隔情報を演算によって求める場合の例を示すグラフである。
【００５３】
出力画素の配置位置をＸｎｉとし、求める配置間隔情報をＭｎｙとすると、
Ｍｎｙ＝｛（Ｍｎｉ−Ｍｎｓ）×２／Ｈｎｏ｝×Ｘｎｉ＋Ｍｎｓ
という数式で求めることができる。この数式によって配置間隔情報Ｍを求めるようにしてもよい。これにより各分割画像領域内においてより直線的に比率を変えることができる。なお、演算結果によっては、ＰＤＰ９の物理的な画素位置に一致しない位置に出力画素が求められる場合もあるが、これについては補間処理部１３によって調整すればよい。
【００５４】
（２）上記の実施例では、ＰＤＰ９を備えた画像表示装置を例に採って説明したが、ＰＤＰ９以外の液晶表示装置であっても適用することができる。
【００５５】
【発明の効果】
以上の説明から明らかなように、本発明によれば、分割画像領域指定部がストレッチ情報に基づいて入力画像及び出力画像の領域を分割し、分割画像領域情報を出力し、処理対象として各分割画像領域を順次に指定してゆく。出力画素配置間隔算出部は、その指定に応じ、隣接する出力画素の画素位置からの間隔を、分割画像領域情報の比率に応じて次第に大きくまたは小さくまたは一定に調節した出力画素の配置間隔情報として算出する。さらに、出力画素配置位置情報設定部が出力画素の配置間隔情報に基づき、入力画素の画素位置に対する出力画素の画素位置の間隔を出力画素の配置位置情報として設定する。基準入力画素位置更新制御部は、出力画素の配置間隔情報と出力画素の配置位置情報とに基づき、補間処理部が出力画素の画素値を決定するために参照する基準入力画素位置の更新を制御する。このような処理を分割画像領域ごとに順次に処理することにより、各分割画像領域内で比率をリニアに可変でき、入力画像のアスペクト比を調整しつつも滑らかな画像に変換することができる。
【図面の簡単な説明】
【図１】実施例に係る画像変換処理ユニットを備えた画像表示装置の概略構成を示すブロック図である。
【図２】入力画像の入力画素と出力画像の出力画素等との関係について示した模式図であり、（ａ）は入力画像を示し、（ｂ）は出力画像を示し、（ｃ）は比率を示す。
【図３】入力画素と出力画素の配置関係を示した模式図である。
【図４】処理の要部についてその流れを示したフローチャートである。
【図５】ストレッチ情報と配置位置情報等の例を第１の分割画像領域について示した表である。
【図６】ストレッチ情報と配置位置情報等の例を第２の分割画像領域について示した表である。
【図７】ストレッチ情報と配置位置情報等の例を第３の分割画像領域について示した表である。
【図８】ストレッチ情報と配置位置情報等の例を第４の分割画像領域について示した表である。
【図９】配置間隔情報を演算によって求める場合の例を示すグラフである。
【符号の説明】
１  …  信号処理部
３  …  マイコン
５  …  画像変換処理ユニット
１１  …  画素配置位置情報算出部
１３  …  補間処理部
１１Ａ  …  分割画像領域指定部
１１Ｂ  …  出力画素配置間隔算出部
１１Ｃ  …  出力画素配置位置情報設定部
１１Ｄ  …  基準入力画素位置更新制御部
１３Ａ  …  画素配置位置決定部
１３Ｂ  …  画素値決定部
Ｍ  …  出力画素の配置間隔情報
Ｚ  …  出力画素の配置位置情報
ａ１  …  入力信号
ａ２  …  ビデオ信号
ａ３  …  同期信号
ａ４  …  マイコン設定
ａ５  …  ストレッチ情報
ｂ１  …  分割画像領域情報
ｂ２  …  基準入力画素位置更新制御情報
Ｈｎｉ  …  入力解像度
Ｈｎｏ  …  出力解像度
Ｍｎｓ  …  開始比率
Ｍｎｉ  …  中間比率
【図１】
2004328493.tif 000003
【図２】
2004328493.tif 000004
【図３】
2004328493.tif 000005
【図４】
2004328493.tif 000006
【図５】
2004328493.tif 000007
【図６】
2004328493.tif 000008
【図７】
2004328493.tif 000009
【図８】
2004328493.tif 000010
【図９】
2004328493.tif 000011